(57)【要約】      （修正有）【課題】洗濯物等の被乾燥物を自然乾燥可能な乾燥室を有する建物を提供する。【解決手段】乾燥室１８は、玄関土間７および玄関ホールと屋根裏に設けられたロフト２２との間に設けられている。玄関土間７および玄関ホールと乾燥室１８との間に玄関土間７および玄関ホールの天井と乾燥室１８の床を兼ねるとともに、透光性と通気性を有するグレーティングパネル３１が設けられている。乾燥室１８とロフト２２との間に乾燥室１８の天井とロフト２２の床を兼ねるとともに、透光性と通気性を有するグレーティングパネル３１が設けられている。これにより、ロフト２２側から乾燥室１８に採光を行うことができる。また、ロフト２２と玄関土間７および玄関ホールとの間で乾燥室１８を介して風を通し、乾燥室１８での被乾燥物の自然乾燥を行うことができる。【選択図】図１
2011074622.tif 000002
【特許請求の範囲】
【請求項１】
洗濯物等の被乾燥物の乾燥に用いられる乾燥室を備えた建物であって、
前記乾燥室は、下階と屋根裏に設けられたロフトとの間に設けられ、
前記下階と前記乾燥室との間に前記下階の天井と前記乾燥室の床とを兼ねるとともに、透光性と通気性を有する格子状パネルが設けられ、
前記乾燥室と前記ロフトとの間に前記乾燥室の天井と前記ロフトの床とを兼ねるとともに、透光性と通気性を有する格子状パネルが設けられていることを特徴とする建物。
【請求項２】
前記下階の前記乾燥室の下方となる位置には、玄関の屋内側の玄関土間が設けられていることを特徴とする請求項１に記載の建物。
【請求項３】
屋根の前記ロフト上方となる部分には、換気のために開閉自在で、開閉状態にかかわらず屋内側への雨滴の落下を抑止できる窓が設けられていることを特徴とする請求項１または請求項２に記載の建物。
【請求項４】
前記下階からその上の上階に至るとともに途中に踊り場を有する折り返し階段を備え、
前記踊り場の床が前記下階の床と前記乾燥室の床との間の高さ位置とされ、
当該踊り場が前記乾燥室に隣接するとともに下階の窓を有する少なくとも一つの部屋に隣接し、
当該踊り場と前記乾燥室との間にこれら踊り場と乾燥室とを連通させる開口部が形成され、
前記踊り場と前記下階の前記部屋との間にこれら踊り場と前記下階の前記部屋とを連通する開口部が形成されていることを特徴とする請求項３に記載の建物。
【請求項５】
前記踊り場の下が前記下階より天井の低い低天井収納室とされ、前記踊り場が居住者の共有領域とされ、前記踊り場の上が屋根裏に設けられるとともに、前記ロフトより床の高さ位置が低い低床ロフトとされ、
前記乾燥室に隣接して洗濯機用パンが備えられた洗面室が設けられ、前記洗面室の上部が前記ロフトに連通する屋根裏空間に開放されていることを特徴とする請求項４に記載の建物。
【発明の詳細な説明】
【技術分野】
【０００１】
本発明は、洗濯物等の被乾燥物の乾燥を行う乾燥室を備えた建物に関する。
【背景技術】
【０００２】
１階の採光性や通気性を向上し、かつ、屋内の開放感を向上するために、２階の床の一部をなくして、１階と２階を連通させた吹き抜けを有する建物が知られている。
しかし、住宅となる建物においては、その床面積が必ずしも十分でない場合が多く、吹き抜けを設けることで、２階床面積が減少してしまうと、建物の使い勝手が悪くなる可能性がある。
【０００３】
そこで、吹き抜け部分の２階床高さ部分に、グレーティングパネル（格子状パネル）を設けることにより、吹き抜け部分においてグレーティングパネル上を歩行可能とすることが提案されている（例えば、特許文献１参照）。この場合に、グレーティングパネルに設けられた隙間から見通しを確保するとともに、採光と通気を可能とすることができる。また、近づくことが困難であった吹き抜け部分の２階以上の高さに面する外壁の窓に容易に近づくことが可能となる。したがって、この窓を開閉自在として換気に使用することができる。また、当該窓にカーテンを配置した場合にカーテンの開閉が可能となる。また、吹き抜け部分の一部に収納スペースを設けるものとすれば、当該収納スペースへのアクセスがグレーティングパネルを歩行することで可能となる。
【０００４】
また、洗濯物を干す場合に、住宅では、一般的にベランダが用いられるが、建物の美観の問題や、防犯上の問題、また、天候によって屋外に干せない場合があることから屋内に乾燥室を設ける場合がある。この場合に、乾燥室には、電気式の乾燥機を設置し、温風で乾燥する。また、浴室に暖房乾燥機を設け、浴室を乾燥室として利用する場合がある。
また、浴室に吹き抜けを設け、吹き抜けの２階部分に物干し竿を配置可能とするとともに、吹き抜けの２階部分に採光と換気のための窓や天窓を設け、かつ、物干し作業を行う足場が形成されている建物が提案されている（例えば、特許文献２参照）。この足場は、例えば、格子状の構造を有するものとなる。
【先行技術文献】
【特許文献】
【０００５】
【特許文献１】特開２００６−２６５９８７号公報
【特許文献２】特開平１０−９４６９７号公報
【発明の概要】
【発明が解決しようとする課題】
【０００６】
ところで、温風等で乾燥する乾燥室では、屋内の採光に優れた部分を居室として使用するので、一般的に採光が不十分で、紫外線による殺菌等の効果を見込むことができない。
また、浴室を吹き抜けとしてその２階部分を乾燥室とする場合に、浴室を使用すると、浴室だけではなく、吹き抜けの２階部分も湿度が高くなってしまい、窓や換気扇等で換気するものとしても、浴室使用後、しばらくは洗濯物の乾燥に適した湿度となりづらいという問題がある。
【０００７】
また、浴室を吹き抜けとすると、浴室全体の体積が大きくなってしまい、暖房乾燥機で暖房したり、乾燥したりするのに、大きな出力を必要とすることになる。
また、一般的な吹き抜けの２階床部分にグレーティングの床を設けて、グレーティングの床上を乾燥室とする場合も、湿度の高い空気が軽く上昇しやすいことなどから、洗濯物の乾燥に適した湿度とすることが難しいとともに、洗濯物に水が残っているような場合に、グレーティングの床から下の部屋に水滴が落ちるという問題がある。
【０００８】
本発明は、前記事情に鑑みてなされたものであり、洗濯物等の被乾燥物を自然乾燥可能な乾燥室を有する建物を提供することを目的とする。
【課題を解決するための手段】
【０００９】
請求項１に記載の発明は、洗濯物等の被乾燥物の乾燥に用いられる乾燥室１８を備えた建物であって、
前記乾燥室１８は、下階（１階）と屋根裏に設けられたロフト２２との間に設けられ、
前記下階と前記乾燥室１８との間に前記下階の天井と前記乾燥室１８の床とを兼ねるとともに、透光性と通気性を有する格子状パネル３１が設けられ、
前記乾燥室１８と前記ロフト２２との間に前記乾燥室１８の天井と前記ロフト２２の床とを兼ねるとともに、透光性と通気性を有する格子状パネル３１が設けられていることを特徴とする。
【００１０】
請求項１に記載の発明によれば、乾燥室１８の床と天井がそれぞれ格子状パネルからなり、下階と乾燥室１８との通気を確保できるとともに、ロフト２２と乾燥室１８との通気を確保できる。したがって、例えば、下階の窓と、ロフト２２の窓を開放することにより、乾燥室１８において洗濯物等を自然乾燥するための通気を確保することができる。
また、乾燥室１８では、格子状パネル３１によってロフト２２側から採光が可能となり、乾燥室１８の下階では格子状パネル３１によって乾燥室１８を介してロフト２２からの採光が可能となる。
【００１１】
乾燥室１８では、天井が格子状パネル３１となっているので、格子部分に掛止片を掛止することが可能であり、天井のどこでも、掛止片を有する掛止部材で例えば物干し竿を掛けたり、ハンガーを掛けたりすることができる。
また、天井と床との両方に、格子による間隙が存在するので、例えば、棒の上下端部を間隙に挿入して棒を立てることができる。この際に、棒の両端をそれぞれ間隙に容易に差し入れられるように棒の一部や掛止部分が伸縮する構造となっていることが好ましい。
【００１２】
この際に、強いばね力で棒を伸ばす方向に付勢して突っ張った状態としなくても、棒の両端部が間隙に掛止されることで、倒れたり、位置ずれしたりしないので、棒を伸ばす方向への付勢力の弱いものや、ねじで伸縮する構造のものや、伸縮可能で伸びた状態から縮んだ状態へ戻るのを防止するストッパを有するものなどを用いることができる。
なお、格子状パネル３１は、例えば、床材等に使われるグレーティングパネルであり、通常の住宅における死荷重や活荷重を十分に支持可能なものである。
【００１３】
請求項２に記載の発明は、請求項１に記載の建物において、前記下階の前記乾燥室の下方となる位置には、玄関６の屋内側の玄関土間７が設けられていることを特徴とする。
【００１４】
請求項２に記載の発明によれば、乾燥室１８の下方に玄関土間７が設けられているので、乾燥すべきものから水が落下し、その水がさらに格子状パネル３１の間隙から下方に落下しても、住宅となる建物の中で耐水性のある玄関土間７が濡れるだけなので、水による問題を抑制することができる。
【００１５】
請求項３に記載の発明は、請求項１または２に記載の建物において、屋根２の前記ロフト２２上方となる部分には、換気のために開閉自在で、開閉状態にかかわらず屋内側への雨滴の落下を抑止できる窓５，２７，４３が設けられていることを特徴とする。
【００１６】
請求項３に記載の発明によれば、ロフト２２の屋根２部分に設けられた窓５，２７，４３から採光された光がロフト２２の床で乾燥室１８の天井である格子状パネル３１から乾燥室１８に至り、さらに、乾燥室１８から乾燥室１８の床で下階の部屋の天井である格子状パネル３１から下階の部屋に至ることになる。特に、窓５，２７，４３は屋根２に設けられるものであることから、いわゆる天窓やトップライトとなり、効率的に太陽光を乾燥室１８に導入することが可能となる。
また、多少雨が降っている状態でも、開放状態として、換気を行うことが可能となる。また、多少の雨でも換気が可能となる。
【００１７】
また、ロフト２２の屋根２部分の窓５，２７，４３を開放することで、二枚の格子状パネル３１を介して、ロフト２２、乾燥室１８、下階の部屋の換気を行い、乾燥室１８の湿度を低減するとともに風を導入して、乾燥すべき被乾燥物を電力を用いた乾燥装置を用いることなく、自然乾燥することができる。
【００１８】
請求項４に記載の発明は、請求項３に記載の発明において、前記下階からその上の上階に至るとともに途中に踊り場１２を有する折り返し階段１３を備え、前記踊り場１２の床が前記下階の床と前記乾燥室１８の床との間の高さ位置とされ、当該踊り場１２が前記乾燥室１８に隣接するとともに下階の窓３２を有する少なくとも一つの部屋１４に隣接し、当該踊り場１２と前記乾燥室１８との間にこれら踊り場１２と乾燥室１８とを連通させる開口部３３が形成され、前記踊り場１２と前記下階の前記部屋１４との間にこれら踊り場１２と前記下階の前記部屋１４とを連通する開口部３４が形成されていることを特徴とする。
【００１９】
請求項４に記載の発明によれば、踊り場１２の乾燥室１８と連通する開口部３３と、下階の窓３２を有する部屋１４と連通する開口部３４を介して、下階の部屋１４の窓３２から踊り場１２を通して乾燥室１８に風を送ることが可能となる。さらに、風を乾燥室１８の天井となる格子状パネル３１を介してロフト２２の屋根の窓から出すことが可能となる。また、この逆の経路で風を通すことも可能である。
これにより、乾燥室１８の湿度の低減と風の通過量の向上とを図り、より乾燥室１８での乾燥能力を高めることができる。
【００２０】
請求項５に記載の発明は、請求項４に記載の発明において、前記踊り場１２の下が前記下階より天井の低い低天井収納室１１とされ、前記踊り場１２が居住者の共有領域とされ、前記踊り場１２の上が屋根裏に設けられるとともに、前記ロフト２２より床の高さ位置が低い低床ロフト２３とされ、前記乾燥室１８に隣接して洗濯機用パン３５が備えられた洗面室２０が設けられ、前記洗面室２０の上部が前記ロフト２２に連通する屋根裏空間に開放されていることを特徴とする。
【００２１】
請求項５に記載の発明によれば、下階の部屋、乾燥室１８、ロフト２２が上下に並ぶ部分に隣接して、低天井収納室１１、共有領域となる踊り場１２、低床ロフト２３が上下に並ぶ部分が互いに床の高さ位置がずれた状態で、請求項４に記載の発明の場合のように風を通すことが可能となる。
また、乾燥室１８に隣接して洗濯機用パン３５を備える洗面室２０が備えられているので、洗濯物の乾燥が容易となる。また、洗面室２０がロフト２２の窓に連通することになり、洗面室２０の湿度の低下を図ることができる。
【発明の効果】
【００２２】
本発明の建物によれば、屋内に、風通しがよく、かつ、方向にかかわらず採光性に優れて、使い勝手のよく、洗濯物等の被乾燥物を自然乾燥可能な乾燥室を構築することができる。
【図面の簡単な説明】
【００２３】
【図１】本発明の第１実施形態の建物を示す屋根の傾斜方向に沿った縦断面図である。
【図２】第１実施形態の建物を示す屋根の傾斜方向に直交する縦断面図である。
【図３】第１実施形態の建物を示す１階の横断面図である。
【図４】第１実施形態の建物を示す２階の横断面図である。
【図５】第１実施形態の建物を示すロフトの横断面図である。
【図６】本発明の第２実施形態の建物を示す屋根の傾斜方向に沿った縦断面図である。
【図７】第２実施形態の建物を示す屋根の傾斜方向に直交する縦断面図である。
【図８】第２実施形態の建物を示す１階の横断面図である。
【図９】第２実施形態の建物を示す２階の横断面図である。
【図１０】第２実施形態の建物を示すロフトの横断面図である。
【発明を実施するための形態】
【００２４】
以下、本発明の第１実施形態を図面を参照して説明する。
図１は本発明の第１実施形態の建物を示す屋根の傾斜方向に沿った縦断面図であり、図２は第１実施形態の建物を示す屋根の傾斜方向に直交する縦断面図であり、図３は第１実施形態の建物を示す１階の横断面図であり、図４は第１実施形態の建物を示す２階の横断面図であり、図５は第１実施形態の建物を示すロフトの横断面図である。
【００２５】
この例の建物は、図１に示すように棟に段差１を有する切妻屋根２を有するものとなっている。すなわち、切妻屋根２を構成する二つの屋根面３，４が棟部分で接合されるが、棟部分で一方の屋根面３に対して他方の屋根面４が低い状態で接合されることにより、棟部分に上述の段差１が形成されている。そして、この段差１の部分には、天窓５が形成されている。
【００２６】
建物の一方の妻面側の向かって左側（棟部分が高い方の屋根面３側）よりに玄関６が設けられ、玄関６は両開き扉となっている。なお、以降の記載において、左右は、建物の前記一方の妻面に向かった方向とする。
建物の１階の玄関６の屋内側が玄関土間７とされ、その奥（他方の妻面側）が玄関ホール８とされている。
玄関土間７の左側は、人が出入可能な物入れ９とされている。この物入れ９の奥がトイレ１ａとされている。また、玄関土間７の右側は、作業場１０となっており、日曜大工やガーデニング等の各種趣味で行われる作業のうち屋内で可能な作業を行うことができる。
【００２７】
なお、作業場１０は、後述の低天井収納室１１と同じように後述の踊り場１２の下側に設けられており、１階の他の部屋より天井が低くなっているが、作業場１０は玄関土間と同じ床面となっており、１階の他の部屋より床面が低くなっているので、天井の低さを床の低さで補うことができる。これによりある程度の頭上高さを確保できるようになっている。
【００２８】
作業場１０の右隣には、上述の低天井収納室１１が設けられている。そして、これら作業場１０および低天井収納室１１は、後述の折り返し階段１３の踊り場１２の下側となっている。そして、これら作業場１０および低天井収納室１１の奥側（他方の妻面側）が踊り場１２につながる折り返し階段１３となる。また、折り返し階段１３および低天井収納室１１の右側、すなわち低い方の屋根面４側が特に使用用途を限定されていないマルチスペースである居室１４となる。なお、居室１４をリビングとしてもよい。居室１４には、外壁に後述の窓３２が設けられている。
【００２９】
上述の各スペースの他方の妻面側がダイニングキッチン１５となり、左端部側がキッチン１６で、それより右側がダイニング１７となる。なお、ダイニング１７の右側をリビングとして、ダイニングキッチン１５をリビングダイニングキッチンとして使用するものとしてもよい。キッチン１６は、対面カウンタとなっている。
【００３０】
建物の２階においては、上述の玄関土間７および玄関ホール８の上側が乾燥室１８とされ、乾燥室１８の左側が浴室１９とその他方の妻面側が洗面室２０となっている。また、洗面室２０には洗濯機を設置するための洗濯機用パン３５が備えられている。また、洗面室２０は、廊下２１側に出入り口を有し、洗面室２０内には浴室１９への出入り口と、乾燥室１８への出入り口が設けられている。また、洗面室２０の天井の一部が屋根の下側に至るように高くなっているとともに、屋根裏のロフト２２と連通した状態となっている。
なお、浴室１９は、屋根裏と連通しておらず、ロフト２２等の屋根裏の部屋に湿気が排出されないようになっている。
【００３１】
乾燥室１８の右側の折り返し階段１３は、２階部分でさらに折り返して後述の低床ロフト２３に至るようになっている。
また、乾燥室１８の右隣となる空間で折り返し階段１３より一方の妻面側は、乾燥室１８より低い位置に床がある踊り場１２と、乾燥室１８より高い位置に床がある低床ロフト２３が配置されている。
【００３２】
ここで、踊り場１２は、通常の踊り場１２よりも広く、浴室１９と同程度か浴室１９より少し広い程度の広さを有しており、家族の共有領域として使用可能となっている。ここでは、家族がだれても使用できるファミリーライブラリとなっており、書斎、読書室等として使用可能となっている。
【００３３】
２階の上述の各スペースは、高い屋根面４の下側となる。
折り返し階段１３より右側には、洋間としての寝室２４が配置されている。なお、寝室２４の天井は、屋根に至る高さとされており、寝室２４の上部が屋根裏に至るものとなっている。これにより、寝室２４の天井は、斜めとなるが通常の天井より屋根裏を含む分だけ高いものとなっている。
【００３４】
乾燥室１８、折り返し階段１３の他の妻面側には廊下２１が妻面に沿って長くなるように配置されている。この廊下２１は、洗面室２０と、折り返し階段１３と寝室２４とをつなぐようになっている。よって、廊下２１は、折り返し階段１３の踊り場１２と２階（廊下２１）とをつなぐ部分と、２階（廊下２１）と低床ロフト２３をつなぐ部分とに接続されている。
【００３５】
また、寝室２４の他方の妻面側で廊下２１の延長線上にあたる位置にクローゼット２５が設けられている。
そして、洗面室２０、廊下２１およびクローゼット２５の他方の妻面側には、左右に長い洋間２６が設けられている。洋間２６は、例えば、子供部屋として用いられるものであり、子供の人数や成長に対応して間仕切りして使用可能となっている。
【００３６】
建物の屋根裏部分は、低い屋根面４の下側で、一方の妻面側が、上述の寝室２４の上部となる。
また、棟で高い方の屋根面３の下側で一方の妻面側には、棟側から折り返し階段１３に繋がる低床ロフト２３と、乾燥室１８の上となるロフト２２が配置されている。また、折り返し階段１３は、低床ロフト２３の部分でさらに折り返して上に向かうようになっており、収納ロフト３６に接続されている。
【００３７】
屋根の前記ロフト２２の上となる部分には、排熱塔２７が形成されている。排熱塔２７は、煙突状のもので屋根面３から上方に延出するように形成されている。そして、上端開口を有し、排熱塔２７の真上からの採光が可能となっている。したがって、排熱塔２７の上端開口が天窓となっている。また、上端開口には、透明板２８が嵌め込まれている。また、排熱塔２７の上端部の側面には、排気口２９が全周に渡って複数並んで形成されている。
【００３８】
また、排熱塔２７の排気口２９の下側には、排熱塔２７の内部空間を上下に仕切りって配置されるとともに開閉する開閉部材３０が設けられている。この開閉部材３０を開放すると、屋内側と排気口２９が連通し、閉塞すると屋内側と排気口２９とが遮断される。
低床ロフト２３は、例えば、書斎等として使用されるもので、上部に上述の切妻屋根２の段差１に形成された天窓５が配置された状態となっている。
収納ロフト３６は、切妻屋根２の他方の妻面側の棟の下側に設けられ、いわゆる屋根裏収納として用いられる部分である。
【００３９】
以上のような建物において、玄関土間７および玄関ホール８の上側が乾燥室１８とされている。すなわち、乾燥室１８の下階の部屋が玄関土間７および玄関ホール８となる。そして、乾燥室１８の上側がロフト２２となる。
そして、玄関土間７および玄関ホール８の天井となり、乾燥室１８の床となる部分に格子状パネルとしてのグレーティングパネル３１が配置されている。グレーティングパネル３１は、床材として配置されるもので、乾燥室１８の床にかかる活荷重および死荷重を支持可能な構成となっている。
【００４０】
したがって、グレーティングパネル３１を床とする乾燥室１８は、人が出入り可能なものとなっている。
また、乾燥室１８の天井となり、ロフト２２の床となる部分に格子状パネルとしてのグレーティングパネル３１が配置されている。グレーティングパネル３１は、上述の乾燥室１８の床となるグレーティングパネル３１と同じものとなる。
【００４１】
したがって、ロフト２２も、人の出入りが可能となる。そして、これらグレーティングパネル３１は、周知のように格子状で格子同士の間に間隙を有するものであり、通気性と透光性を備えたものとなっている。また、グレーティングパネル３１を介してグレーティングパネル３１の反対側が見通せるものとなっている。
このように乾燥室１８の床と天井とがグレーティングパネル３１からなることにより、乾燥室１８は、下から上もしくは上から下に通気が可能となっており、乾燥室１８の自然乾燥の乾燥能力が高められるようになっている。
【００４２】
ここで、乾燥室１８の下側には、玄関土間７および玄関ホール８があり、玄関６の扉を開放することで外気の導入および屋内の空気の排出が可能となっている。また、乾燥室１８の上側には、ロフト２２があり、ロフト２２の上側には、上述の排熱塔２７があり、その開閉部材３０を開放することで、排熱塔２７の排気口２９から空気の導入と排出が可能となっている。
【００４３】
また、ロフト２２は、屋根裏空間として、低床ロフト２３と連通しており、低床ロフト２３には、開閉可能な天窓５が配置されており、天窓５を開放状態とすることで、低床ロフト２３の上部空間を介してロフト２２への空気の導入とロフト２２からの空気の排出が可能となっている。
すなわち、乾燥室１８は、その上下の空間とグレーティングパネル３１を介して通気可能となっているとともに、乾燥室１８の上下の空間は、それぞれ空気の導入と排気が可能となっているので、乾燥室１８に空気を通すことになり、被乾燥物の乾燥が容易となる。
【００４４】
また、ロフト２２の排熱塔２７は、透明板２８を介して採光可能となっており、排熱塔２７からロフト２２に光が入射され、この光は、グレーティングパネル３１を通って、乾燥室１８および玄関土間７および玄関ホール８に至る。
また、天窓５からも斜めに入射した光がロフト２２に至るようになっている。この光も反射等により、グレーティングパネル３１を介して、乾燥室１８と、玄関土間７および玄関ホール８に至るようになっている。
【００４５】
また、上下にならぶ玄関土間７および玄関ホール８と、乾燥室１８と、ロフト２２とに隣接して、低天井収納室１１および作業場１０、共有領域となる踊り場１２、低床ロフト２３が配置されている。また、玄関土間７および玄関ホール８、乾燥室１８、ロフト２２の各床レベルに対して、低天井収納室１１および作業場１０、踊り場１２、低床ロフト２３の対応する床レベルが低くなっている。
【００４６】
そして、踊り場１２は、１階の窓３２を有するリビングとなる居室１４と、連通する開口部３４を有するとともに、乾燥室１８と連通する開口部３３を有する。したがって、居室１４の窓３２から踊り場１２を介して乾燥室１８に対する空気の導入と排出とが可能となっている。
【００４７】
これにより、玄関６の扉が閉まっていても、天窓５および排熱塔２７と居室１４の窓３２との間で、乾燥室１８を通って空気を流すことができる。なお、折り返し階段１３は、１階から屋根裏までの空気の通路となる。
また、ロフト２２においても、空気が流れるとともに、天窓５および排熱塔２７から直接的に採光ができるため、ロフト２２を乾燥室として使用でき、採光性が乾燥室１８より優れることから、布団等の寝具の乾燥に適している。ロフト２２には、例えば、切妻屋根２の下面側の天井となる部分に、布団等の寝具を掛けるための物干し竿が固定されていることが好ましい。
【００４８】
なお、天窓５および排熱塔２７は、開放した状態でも、雨水の浸入を抑止するようになっている。天窓５は、窓障子となるガラス板部分が、上側縁部を回転軸として下側が外側かつ上方に回転移動することで開放するので、窓障子を開放した場合に窓障子が庇として機能し、雨水が入りづらい構造となっている。
また、排熱塔２７は、上部開口の透明板２８が嵌め殺しとなっているとともに側面に排気口２９が設けられている。したがって、多少の雨であったら、開閉部材３０を開放状態に保持して換気を行うことが可能である。
【００４９】
図６から図１０は、本発明の第２実施形態の建物を示すものであって、図６は本発明の第２実施形態の建物を示す屋根の傾斜方向に沿った縦断面図であり、図７は第２実施形態の建物を示す屋根の傾斜方向に直交する縦断面図であり、図８は第２実施形態の建物を示す１階の横断面図であり、図９は第２実施形態の建物を示す２階の横断面図であり、図１０は第２実施形態の建物を示すロフトの横断面図である。
【００５０】
第２実施形態の建物は、屋根部分の構造が一部異なるだけで、屋根より下側の構造は、第１実施形態と同様となっており、図６から図１０において、第１実施形態と同様の構成要素に図１から図５に付された符号と同一の符号を付して上記構成要素の説明を省略する。
【００５１】
第２実施形態においては、屋根が段差の無い切妻屋根４０となっており、屋根面４１、４２が棟部分で同じ高さ位置に配置されている。したがって、第１実施形態のように段差に天窓５が設けられる構成とはなっていない。また、切妻屋根４０には、排熱塔２７が設けられておらず、ロフト２２の上にロフト２２の床を切妻屋根４０の屋根面４１に投影した大きさの天窓４３が設けられている。すなわち、天窓４３は、ロフト２２の広さとほぼ同等の広さの開口となっており、極めて高い開放感を得られる空間となっている。
【００５２】
天窓４３には、屋根面４１の傾斜方向に直交する傾斜上側の側縁部を軸として回転する透明板を備えた開閉部材４４を備えており、開閉部材４４を開放した状態でも、ロフト２２上を開閉部材４４が庇状に覆った状態となり、雨滴の落下を防止するようになっている。すなわち、天窓４３は、開放状態でも雨水の浸入が抑制されるようになっている。
これにより、ロフト２２を含む屋根裏空間の換気が可能となるとともに、天窓４３は、第１実施形態の天窓５および排熱塔２７と同様に機能し、乾燥室１８に風を通すことが可能となり、乾燥室１８の乾燥能力を高めることができる。
【００５３】
なお、第２実施形態においては、屋根裏空間の他方の妻面側に第１実施形態の収納ロフト３６に対応するロフトが設けられていない。したがって、折り返し階段１３には、第１実施形態における低床ロフト２３から収納ロフト３６に至る階段が設けられていない構成となっている。
【００５４】
第２実施形態においても、第１実施形態と同様に乾燥室１８において、十分に洗濯物等の被乾燥物を乾燥可能な状況をもたらすことが可能であり、電力を用いる乾燥装置を設ける必要がない。
また、第２実施形態においても乾燥室１８の天井および床がグレーティングパネル３１により構成されており、第１実施形態と同様の効果を奏するものとなっている。
【００５５】
なお、第１実施形態及び第２実施形態における建物は、周知のパネル工法によって構築されるものであるが、軸組み工法、２×４工法、ユニット工法、その他の工法によって構築されるものであってもよい。
また、建物内の各部屋等の配置は、乾燥室１８が下階とロフト２２との間に設けられ、乾燥室１８の天井と床がグレーティングパネル３１とからなるものであれば、上記例と異なる配置となっていてもよい。
【符号の説明】
【００５６】
２        切妻屋根（屋根）
５        天窓（屋根の窓）
６        玄関
７        玄関土間（下階の部屋）
８        玄関ホール（下階の部屋）
１１      低天井収納室
１２      踊り場
１３      折り返し階段
１４      居室（下階の窓を有する部屋）
１８      乾燥室
２０      洗面室
２２      ロフト
２３      低床ロフト
２７      排熱塔（屋根の窓）
３１      グレーティングパネル（格子状パネル）
３２      窓
３３      開口部
３４      開口部
３５      洗濯機用パン
４０      切妻屋根
４３      天窓（屋根の窓）
【図１】
2011074622.tif 000003
【図２】
2011074622.tif 000004
【図３】
2011074622.tif 000005
【図４】
2011074622.tif 000006
【図５】
2011074622.tif 000007
【図６】
2011074622.tif 000008
【図７】
2011074622.tif 000009
【図８】
2011074622.tif 000010
【図９】
2011074622.tif 000011
【図１０】
2011074622.tif 000012